(57)【特許請求の範囲】
【請求項１】
無線通信システムで動作するユーザ機器（端末）の為の方法であって、
上位階層から上りリンク（ＵＬ）パケットを受信する段階と、
ＵＬパケットのＩＰフローが端末に構成されたＱｏＳフローマッピング規則に対するＵＬ  ＩＰフローに定義されたＩＰフローのうちのいずれかに一致するか否かをチェックする段階と、
前記端末に構成されたＱｏＳフローマッピング規則に対するＵＬ  ＩＰフローに定義された前記ＩＰフローのいずれにも一致しない前記ＵＬパケットのＩＰフローに基づいて、前記ＵＬパケットのＱｏＳフローＩＤを特定値として設定する段階と、
特定値として設定されたＱｏＳフローＩＤを有するＵＬパケットをＤＲＢによりネットワークに送信する段階と、を含んでなることを特徴とする、端末の為の方法。
【請求項２】
前記端末に構成されたＤＲＢマッピング規則に対するＵＬ  ＱｏＳフローに定義されたＱｏＳフローＩＤのいずれにも一致しない前記特定値に基づいて、前記ＤＲＢはデフォルトＤＲＢであり、デフォルトＤＲＢは端末に構成されたＤＲＢマッピング規則に対するＵＬ  ＱｏＳフローに定義されたＱｏＳフローＩＤのいずれにも一致しないＱｏＳフローＩＤのＵＬパケットを送信するために使用されることを特徴とする、請求項１に記載の端末の為の方法。
【請求項３】
前記デフォルトＤＲＢにより送信されたＵＬパケットは、フィールドの全てのビットが‘０’と設定されるＱｏＳフローＩＤを有するか、又はフィールドの全てのビットが‘１’と設定されるＱｏＳフローＩＤを有することを特徴とする、請求項２に記載の端末の為の方法。
【請求項４】
前記端末に構成されたＤＲＢマッピング規則に対するＵＬ  ＱｏＳフローに定義されたＱｏＳフローＩＤのうちのいずれか１つである前記特定値に基づいて、前記ＤＲＢは端末に構成されたＤＲＢマッピング規則に対するＵＬ  ＱｏＳフローに定義された特定値にマッピングされるＤＲＢであることを特徴とする、請求項１に記載の端末の為の方法。
【請求項５】
前記ＵＬパケットはＱｏＳフローマッピング規則に対する不一致ＩＰフローからなるＵＬパケットがネットワークに送信されるように許容されるＰＤＵセクションに属することを特徴とする、請求項１に記載の端末の為の方法。
【請求項６】
前記特定値として設定されたＱｏＳフローＩＤは端末に構成されたＱｏＳフローマッピング規則に対するＵＬ  ＩＰフローに定義されたＩＰフローのうちのいずれか１つにＵＬパケットのＩＰフローが一致しないことをネットワークに知らせるために使用されることを特徴とする、請求項１に記載の端末の為の方法。
【請求項７】
無線通信システムで動作するユーザ機器（端末）であって、
送受信機；及び
前記送受信機と動作可能に結合され、
上位階層から上りリンク（ＵＬ）パケットを受信し、
ＵＬパケットのＩＰフローが端末に構成されたＱｏＳフローマッピング規則に対するＵＬ  ＩＰフローに定義されたＩＰフローのうちのいずれかに一致するか否かをチェックし、
前記端末に構成されたＱｏＳフローマッピング規則に対するＵＬ  ＩＰフローに定義された前記ＩＰフローのいずれにも一致しない前記ＵＬパケットのＩＰフローに基づいて、前記ＵＬパケットのＱｏＳフローＩＤを特定値として設定し、
特定値として設定されたＱｏＳフローＩＤを有するＵＬパケットをＤＲＢによりネットワークに送信するように構成されたプロセッサを備えてなることを特徴とする、端末。
【請求項８】
前記端末に構成されたＤＲＢマッピング規則に対するＵＬ  ＱｏＳフローに定義されたＱｏＳフローＩＤのいずれにも一致しない前記特定値に基づいて、前記ＤＲＢはデフォルトＤＲＢであり、デフォルトＤＲＢは端末に構成されたＤＲＢマッピング規則に対するＵＬ  ＱｏＳフローに定義されたＱｏＳフローＩＤのいずれにも一致しないＱｏＳフローＩＤのＵＬパケットを送信するために使用されることを特徴とする、請求項７に記載の端末。
【請求項９】
前記デフォルトＤＲＢにより送信されたＵＬパケットは、フィールドの全てのビットが‘０’と設定されるＱｏＳフローＩＤを有するか、又はフィールドの全てのビットが‘１’と設定されるＱｏＳフローＩＤを有することを特徴とする、請求項８に記載の端末。
【請求項１０】
前記端末に構成されたＤＲＢマッピング規則に対するＵＬ  ＱｏＳフローに定義されたＱｏＳフローＩＤのうちのいずれか１つである前記特定値に基づいて、前記ＤＲＢは端末に構成されたＤＲＢマッピング規則に対するＵＬ  ＱｏＳフローに定義された特定値にマッピングされるＤＲＢであることを特徴とする、請求項７に記載の端末。
【請求項１１】
前記ＵＬパケットはＱｏＳフローマッピング規則に対する不一致ＩＰフローからなるＵＬパケットがネットワークに送信されるように許容されるＰＤＵセクションに属することを特徴とする、請求項７に記載の端末。
【請求項１２】
前記特定値として設定されたＱｏＳフローＩＤは端末に構成されたＱｏＳフローマッピング規則に対するＵＬ  ＩＰフローに定義されたＩＰフローのうちのいずれか１つにＵＬパケットのＩＰフローが一致しないことをネットワークに知らせるために使用されることを特徴とする、請求項７に記載の端末。
【発明の詳細な説明】
【技術分野】
【０００１】
本発明は無線通信システムに関し、特に、無線通信システムにおいてサービス品質(ＱｏＳ)フロー基盤のＵＬパケットを送信する方法及びそのための装置に関する。
【背景技術】
【０００２】
本発明を適用できる無線通信システムの一例として、３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、「ＬＴＥ」という)通信システムについて概略的に説明する。
【０００３】
図１は、無線通信システムの一例として、Ｅ―ＵＭＴＳ網の構造を概略的に示した図である。Ｅ―ＵＭＴＳ(Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ)は、既存のＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)から進化したシステムであって、現在、３ＧＰＰで基礎的な標準化作業を進めている。一般に、Ｅ―ＵＭＴＳは、ＬＴＥ(Ｌｏｎｇ Ｔｅｒｍ Ｅｖｏｌｕｔｉｏｎ)システムと称することもできる。ＵＭＴＳ及びＥ―ＵＭＴＳの技術規格(ｔｅｃｈｎｉｃａｌ ｓｐｅｃｉｆｉｃａｔｉｏｎ)の詳細な内容は、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ Ａｃｃｅｓｓ Ｎｅｔｗｏｒｋ」のＲｅｌｅａｓｅ ７とＲｅｌｅａｓｅ ８を参照することができる。
【０００４】
図１を参照すると、Ｅ―ＵＭＴＳは、端末(Ｕｓｅｒ Ｅｑｕｉｐｍｅｎｔ；ＵＥ)、基地局(ｅＮｏｄｅ Ｂ；ｅＮＢ)、及びネットワーク(Ｅ―ＵＴＲＡＮ)の終端に位置し、外部ネットワークと接続される接続ゲートウェイ(Ａｃｃｅｓｓ Ｇａｔｅｗａｙ；ＡＧ)を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、多数の端末に対するデータ送受信を制御する。下りリンク(Ｄｏｗｎｌｉｎｋ；ＤＬ)データに対して、基地局は、下りリンクスケジューリング情報を送信し、該当の端末にデータが送信される時間／周波数領域、符号化、データサイズ、ＨＡＲＱ(Ｈｙｂｒｉｄ Ａｕｔｏｍａｔｉｃ Ｒｅｐｅａｔ ａｎｄ ｒｅＱｕｅｓｔ)関連情報などを知らせる。また、上りリンク(Ｕｐｌｉｎｋ；ＵＬ)データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィック又は制御トラフィックの送信のためのインタフェースを使用することができる。核心網(Ｃｏｒｅ Ｎｅｔｗｏｒｋ；ＣＮ)は、ＡＧ及び端末のユーザ登録などのためのネットワークノードなどで構成することができる。ＡＧは、複数のセルで構成されるＴＡ(Ｔｒａｃｋｉｎｇ Ａｒｅａ)単位で端末の移動性を管理する。
【０００６】
無線通信技術は、ＷＣＤＭＡ（登録商標）に基づいてＬＴＥまで開発されてきたが、ユーザと事業者の要求と期待は持続的に増加している。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適切なパワー消耗などが要求される。
【発明の概要】
【発明が解決しようとする課題】
【０００７】
上記問題を解決するための本発明の目的は、無線通信システムにおいてＱｏＳフロー基盤のＵＬパケットを送信する方法及びそのための装置を提供することにある。
【０００８】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００９】
本発明の前記目的は請求範囲に記載したような無線通信システムにおける使用者端末(ＵＥ)の動作方法を提供することによって達成できる。
【００１０】
本発明の他の態様において、請求範囲に記載したような通信装置が提供される。
【００１１】
前記一般的な説明と以下の本発明の詳細な説明はいずれも例示的なもので、特許請求範囲に記載したような本発明をより詳細に説明するためのものである。
【発明の効果】
【００１２】
本発明では、ＱｏＳフローマッピング規則に対する任意のＩＰフローに一致しないＩＰフローのＵＬパケット送信を端末で行うことが提案される。
【００１３】
本発明から得られる効果は、以上で言及した効果に制限されず、言及していない他の効果は、下の記載及び参照された図面から、本発明の属する技術の分野における通常の知識を有する者に明確に理解されるであろう。
【図面の簡単な説明】
【００１４】
本明細書に添付する図面は、本発明に関する理解を提供するためのものであり、本発明の様々な実施の形態を示し、明細書の記載と共に本発明の原理を説明するためのものである。
【図１】図１は、無線通信システムの一例であり、Ｅ―ＵＭＴＳネットワーク構造を概略的に示す図である。
【図２】図２Ａは、Ｅ―ＵＴＲＡＮ(Ｅｖｏｌｖｅｄ―Ｕｎｉｖｅｒｓａｌ Ｔｅｒｒｅｓｔｒｉａｌ Ｒａｄｉｏ Ａｃｃｅｓｓ Ｎｅｔｗｏｒｋ)構造を示するブロック図であり、図２Ｂは、一般的なＥ―ＵＴＲＡＮとＥＰＣの構造を示すブロック図である。
【図３】図３は、３ＧＰＰ無線接続網規格に基づく端末とＥ―ＵＴＲＡＮとの間における無線インタフェースプロトコル(Ｒａｄｉｏ Ｉｎｔｅｒｆａｃｅ Ｐｒｏｔｏｃｏｌ)のコントロールプレーン(Ｃｏｎｔｒｏｌ Ｐｌａｎｅ)及びユーザプレーン(Ｕｓｅｒ Ｐｌａｎｅ)の構造を示す図である。
【図４】図４ａは、ＮＧ無線アクセスネットワーク(ＮＧ−ＲＡＮ)アーキテクチャのネットワーク構造を示すブロック図であり、図４ｂは、ＮＧ−ＲＡＮと５Ｇコアネットワーク(５ＧＣ)の間の機能的分割アーキテクチャを説明するブロック図である。
【図５】図５は、３ＧＰＰ(３ｒｄ ｇｅｎｅｒａｔｉｏｎ ｐａｒｔｎｅｒｓｈｉｐ ｐｒｏｊｅｃｔ)無線アクセスネットワーク標準に基づくＵＥとＮＧ−ＲＡＮの間の無線インターフェースプロトコルの制御平面及びユーザ平面を示す図である。
【図６】図６は、ＵＥとＮＧ−ＲＡＮの間のＬ２データフローに関する一例である。
【図７】図７は、ＱｏＳフローに関する分類及びユーザ平面マーキング及びＮＧ−ＲＡＮリソースへのマッピングのための図である。
【図８】図８は、５Ｇ Ｑｏｓモデルに関する概念図である。
【図９】図９は、本発明の実施例による無線通信システムにおいてＱｏＳフロー基盤のＵＬパケットを送信することを示す概念図である。
【図１０】図１０は、本発明の実施例による任意のＱｏＳ規則に一致しないＵＬパケット送信に関する例を示す図である。
【図１１】図１１は、本発明の実施例による任意のＱｏＳ規則に一致しないＵＬパケット送信に関する例を示す図である。
【図１２】図１２は、本発明の実施例による任意のＱｏＳ規則に一致しないＵＬパケット送信に関する例を示す図である。
【図１３】図１３は、本発明の実施例による任意のＱｏＳ規則に一致しないＵＬパケット送信に関する例を示す図である。
【図１４】図１４は、本発明の実施例に係る通信装置を示すブロック図である。
【発明を実施するための形態】
【００１５】
ＵＭＴＳ(Ｕｎｉｖｅｒｓａｌ Ｍｏｂｉｌｅ Ｔｅｌｅｃｏｍｍｕｎｉｃａｔｉｏｎ Ｓｙｓｔｅｍ)は、ヨーロッパシステム、ＧＳＭ（登録商標）(Ｇｌｏｂａｌ ｓｙｓｔｅｍ ｆｏｒ ｍｏｂｉｌｅ ｃｏｍｍｕｎｉｃａｔｉｏｎ)、及びＧＰＲＳ(Ｇｅｎｅｒａｌ Ｐａｃｋｅｔ Ｒａｄｉｏ Ｓｅｒｖｉｃｅ)に基盤したＷＣＤＭＡ（登録商標）(Ｗｉｄｅｂａｎｄ Ｃｏｄｅ Ｄｉｖｉｓｉｏｎ Ｍｕｌｔｉｐｌｅ Ａｃｃｅｓｓ)で動作する３世代(３ｒｄ Ｇｅｎｅｒａｔｉｏｎ、３Ｇ)非対称移動通信システムである。ＵＭＴＳのＬＴＥ(Ｌｏｎｇ―Ｔｅｒｍ Ｅｖｏｌｕｔｉｏｎ)は、ＵＭＴＳを規格化する３ＧＰＰによって議論中にある。
【００１６】
３ＧＰＰ ＬＴＥは、高速パケット通信を可能にする技術である。ユーザ及び提供者の費用を減少させ、サービス品質を改善し、カバレッジ(ｃｏｖｅｒａｇｅ)及びシステム容量を拡張及び改善することを目的とするＬＴＥ課題のための多くの方法が提案された。３Ｇ ＬＴＥは、上位―レベル要求であって、ビット(ｂｉｔ)当たりの費用減少、増加したサービス可用性、周波数帯域の柔軟性、単純な構造、開放型インタフェース、及び端末の適切な電力消耗を要求する。
【００１７】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００１８】
本明細書は、ＬＴＥシステム及びＬＴＥ―Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００１９】
図２Ａは、Ｅ―ＵＴＲＡＮ(Ｅｖｏｌｖｅｄ―Ｕｎｉｖｅｒｓａｌ Ｔｅｒｒｅｓｔｒｉａｌ Ｒａｄｉｏ Ａｃｃｅｓｓ Ｎｅｔｗｏｒｋ)網構造を示すブロック図である。Ｅ―ＵＭＴＳは、ＬＴＥシステムと称することもできる。通信網は、ＩＭＳ及びパケットデータを通じたＶｏＩＰ(Ｖｏｉｃｅ ｏｖｅｒ ＩＰ)などの多様なサービスを提供するために広く配置される。
【００２０】
図２Ａに示したように、Ｅ―ＵＭＴＳ網は、Ｅ―ＵＴＲＡＮ(ｅｖｏｌｖｅｄ ＵＭＴＳ ｔｅｒｒｅｓｔｒｉａｌ ｒａｄｉｏ ａｃｃｅｓｓ ｎｅｔｗｏｒｋ)、ＥＰＣ(Ｅｖｏｌｖｅｄ Ｐａｃｋｅｔ Ｃｏｒｅ)、及び一つ以上の端末を含む。Ｅ―ＵＴＲＡＮは、一つ以上のｅＮＢ(ｅｖｏｌｖｅｄ ＮｏｄｅＢ)２０を含むことができ、複数の端末１０が一つのセルに位置することができる。一つ以上のＥ―ＵＴＲＡＮ ＭＭＥ(Ｍｏｂｉｌｉｔｙ Ｍａｎａｇｅｍｅｎｔ Ｅｎｔｉｔｙ)／ＳＡＥ(Ｓｙｓｔｅｍ Ａｒｃｈｉｔｅｃｔｕｒｅ Ｅｖｏｌｕｔｉｏｎ)ゲートウェイ３０は、ネットワークの終端に位置し、外部ネットワークに接続することもできる。
【００２１】
本明細書において、「下りリンク(ｄｏｗｎｌｉｎｋ)」は、ｅＮＢ２０から端末１０への通信を称し、「上りリンク(ｕｐｌｉｎｋ)」は、端末１０からｅＮＢ２０への通信を称する。端末１０は、ユーザによって運搬される通信装備を称し、また、移動局(Ｍｏｂｉｌｅ Ｓｔａｔｉｏｎ、ＭＳ)、ユーザ端末(Ｕｓｅｒ Ｔｅｒｍｉｎａｌ、ＵＴ)、加入者ステーション(Ｓｕｂｓｃｒｉｂｅｒ Ｓｔａｔｉｏｎ、ＳＳ)又は無線デバイスと称することもできる。
【００２２】
図２Ｂは、一般的なＥ―ＵＴＲＡＮと一般的なＥＰＣの構造を示すブロック図である。
【００２３】
図２Ｂに示したように、ｅＮＢ２０は、ユーザプレーン及びコントロールプレーンのエンドポイント(ｅｎｄ ｐｏｉｎｔ)をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インタフェースを介して接続することができる。
【００２４】
ｅＮＢ２０は、一般にＵＥ１０と通信する固定局であって、基地局(ＢＳ)又はアクセスポイント(ａｃｃｅｓｓ ｐｏｉｎｔ)と称することもある。一つのｅＮＢ２０はセルごとに配置することができる。ユーザトラフィック又は制御トラフィックを送信するためのインタフェースをｅＮＢ２０間で使用することができる。
【００２５】
ＭＭＥは、ｅＮＢ２０に対するＮＡＳシグナリング、ＮＡＳシグナリング保安、ＡＳ保安制御、３ＧＰＰ接続ネットワーク間の移動性のためのインター(ｉｎｔｅｒ)ＣＮノードシグナリング、(ページング再送信の制御及び実行を含む)遊休モード(ｉｄｌｅ ｍｏｄｅ)ＵＥ接近性(Ｒｅａｃｈａｂｉｌｉｔｙ)、(遊休モード及び活性モード(ａｃｔｉｖｅ ｍｏｄｅ)のＵＥのための)トラッキング領域リスト管理、ＰＤＮ ＧＷ及びサービングＧＷ選択、ＭＭＥ変化が伴うハンドオーバーのためのＭＭＥ選択、２Ｇ又は３Ｇ ３ＧＰＰ接続ネットワークへのハンドオーバーのためのＳＧＳＮ選択、ローミング、認証、専用ベアラ設定を含むベアラ管理、(ＥＴＷＳ及びＣＭＡＳを含む)ＰＷＳメッセージ送信のためのサポートを含む多様な機能を行う。ＳＡＥゲートウェイホストは、パー―ユーザ(Ｐｅｒ―ｕｓｅｒ)ベースのパケットフィルタリング(例えば、深層パケット検査を使用)、適法なインターセプション(Ｌａｗｆｕｌ Ｉｎｔｅｒｃｅｐｔｉｏｎ)、ＵＥ ＩＰアドレス割り当て、下りリンクでの送信(Ｔｒａｎｓｐｏｒｔ)レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００２６】
複数のノードは、ｅＮＢ２０とゲートウェイ３０との間でＳ１インタフェースを介して接続することができる。各ｅＮＢ２０は、Ｘ２インタフェースを介して相互接続することができ、各隣接ｅＮＢは、Ｘ２インタフェースを有するメッシュネットワーク構造(ｍｅｓｈｅｄ ｎｅｔｗｏｒｋ ｓｔｒｕｃｔｕｒｅ)を有することができる。
【００２７】
図２Ｂに示したように、ｅＮＢ２０は、ゲートウェイ３０に対する選択、無線リソース制御(Ｒａｄｉｏ Ｒｅｓｏｕｒｃｅ Ｃｏｎｔｒｏｌ、ＲＲＣ)活性化の間、ゲートウェイに向かうルーティング、ページングメッセージのスケジューリング及び送信、ブロードキャストチャネル(ＢＣＣＨ)情報のスケジューリング及び送信、上りリンク及び下りリンクの全てにおける各ＵＥ１０のための動的リソース割り当て、ｅＮＢ測定の構成及び準備、無線ベアラ制御、無線承認制御(Ｒａｄｉｏ Ａｄｍｉｓｓｉｏｎ Ｃｏｎｔｒｏｌ、ＲＡＣ)、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザプレーン暗号化、システム構造エボリューション(Ｓｙｓｔｅｍ Ａｒｃｈｉｔｅｃｔｕｒｅ Ｅｖｏｌｕｔｉｏｎ、ＳＡＥ)ベアラ制御、及び非―接続層(Ｎｏｎ―Ａｃｃｅｓｓ Ｓｔｒａｔｕｍ、ＮＡＳ)シグナリングの暗号化及び無欠性保護などの各機能を行うことができる。
【００２８】
ＥＰＣは、移動性管理エンティティ(Ｍｏｂｉｌｉｔｙ Ｍａｎａｇｅｍｅｎｔ Ｅｎｔｉｔｙ、ＭＭＥ)、サービング―ゲートウェイ(ｓｅｒｖｉｎｇ―ｇａｔｅｗａｙ、Ｓ―ＧＷ)、及びパケットデータネットワーク―ゲートウェイ(Ｐａｃｋｅｔ Ｄａｔａ Ｎｅｔｗｏｒｋ―Ｇａｔｅｗａｙ、ＰＤＮ―ＧＷ)を含む。ＭＭＥは、主に各端末の移動性を管理する目的で用いられる接続及び可用性に対する情報を有する。Ｓ―ＧＷは、Ｅ―ＵＴＲＡＮを終端点として有するゲートウェイで、ＰＤＮ―ＧＷは、パケットデータネットワーク(ＰＤＮ)を終端点として有するゲートウェイである。
【００２９】
図３は、３ＧＰＰ無線接続網規格に基づく端末とＥ―ＵＴＲＡＮとの間の無線インタフェースプロトコルのコントロールプレーン及びユーザプレーンの構造を示す図である。コントロールプレーンは、端末(Ｕｓｅｒ Ｅｑｕｉｐｍｅｎｔ；ＵＥ)とネットワークがコールを管理するために用いる各制御メッセージが送信される通路を意味する。ユーザプレーンは、アプリケーション層で生成されたデータ、例えば、音声データ又はインターネットパケットデータなどが送信される通路を意味する。
【００３０】
第１層である物理層は、物理チャネル(Ｐｈｙｓｉｃａｌ Ｃｈａｎｎｅｌ)を用いて上位層に情報送信サービス(Ｉｎｆｏｒｍａｔｉｏｎ Ｔｒａｎｓｆｅｒ Ｓｅｒｖｉｃｅ)を提供する。物理層は、上位にある媒体接続制御(Ｍｅｄｉｕｍ Ａｃｃｅｓｓ Ｃｏｎｔｒｏｌ)層とは伝送チャネル(Ｔｒａｎｓｐｏｒｔ Ｃｈａｎｎｅｌ)を介して接続されている。前記伝送チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)方式で変調され、上りリンクでＳＣ―ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)方式で変調される。
【００３１】
第２層の媒体接続制御(Ｍｅｄｉｕｍ Ａｃｃｅｓｓ Ｃｏｎｔｒｏｌ；ＭＡＣ)層は、論理チャネル(Ｌｏｇｉｃａｌ Ｃｈａｎｎｅｌ)を介して上位層である無線リンク制御(Ｒａｄｉｏ Ｌｉｎｋ Ｃｏｎｔｒｏｌ；ＲＬＣ)層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ(Ｐａｃｋｅｔ Ｄａｔａ Ｃｏｎｖｅｒｇｅｎｃｅ Ｐｒｏｔｏｃｏｌ)層は、帯域幅の狭い無線インタフェースでＩＰバージョン４(ＩＰ ｖｅｒｓｉｏｎ ４、ＩＰｖ４)パケットやＩＰバージョン６(ＩＰｖ６)パケットのようなＩＰ(ｉｎｔｅｒｎｅｔ ｐｒｏｔｏｃｏｌ)パケットを効率的に送信するために不必要な制御情報を減少させるヘッダ圧縮(Ｈｅａｄｅｒ Ｃｏｍｐｒｅｓｓｉｏｎ)機能を行う。
【００３２】
第３層の最下部に位置した無線リソース制御(Ｒａｄｉｏ Ｒｅｓｏｕｒｃｅ Ｃｏｎｔｒｏｌ；ＲＲＣ)層は、コントロールプレーンのみで定義される。ＲＲＣ層は、各無線ベアラ(Ｒａｄｉｏ Ｂｅａｒｅｒ；ＲＢ)の設定(Ｃｏｎｆｉｇｕｒａｔｉｏｎ)、再設定(Ｒｅ―ｃｏｎｆｉｇｕｒａｔｉｏｎ)及び解除(Ｒｅｌｅａｓｅ)と関連して論理チャネル、伝送チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００３３】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００３４】
Ｅ―ＵＴＲＡＮから端末への送信のための下りリンク伝送チャネル(Ｄｏｗｎｌｉｎｋ ｔｒａｎｓｐｏｒｔ Ｃｈａｎｎｅｌ)は、システム情報を送信するＢＣＨ(Ｂｒｏａｄｃａｓｔ Ｃｈａｎｎｅｌ)、各ページングメッセージを送信するＰＣＨ(Ｐａｇｉｎｇ Ｃｈａｎｎｅｌ)、及びユーザトラフィック又は各制御メッセージを送信するための下りリンク共有チャネル(Ｓｈａｒｅｄ Ｃｈａｎｎｅｌ、ＳＣＨ)を含む。下りリンクマルチキャスト又はブロードキャストサービスのトラフィック又は制御メッセージの場合、下りリンクＳＣＨを介して送信することもでき、又は別途の下りリンクＭＣＨ(Ｍｕｌｔｉｃａｓｔ Ｃｈａｎｎｅｌ)を介して送信することもできる。
【００３５】
端末からネットワークにデータを送信する上りリンク伝送チャネルとしては、初期制御メッセージを送信するＲＡＣＨ(Ｒａｎｄｏｍ Ａｃｃｅｓｓ Ｃｈａｎｎｅｌ)と、その他にユーザトラフィックや制御メッセージを送信する上りリンクＳＣＨ(Ｓｈａｒｅｄ Ｃｈａｎｎｅｌ)とがある。伝送チャネルの上位にあり、伝送チャネルにマップされる論理チャネルとしては、ＢＣＣＨ(Ｂｒｏａｄｃａｓｔ Ｃｏｎｔｒｏｌ Ｃｈａｎｎｅｌ)、ＰＣＣＨ(Ｐａｇｉｎｇ Ｃｏｎｔｒｏｌ Ｃｈａｎｎｅｌ)、ＣＣＣＨ(Ｃｏｍｍｏｎ Ｃｏｎｔｒｏｌ Ｃｈａｎｎｅｌ)、ＭＣＣＨ(Ｍｕｌｔｉｃａｓｔ Ｃｏｎｔｒｏｌ Ｃｈａｎｎｅｌ)、及びＭＴＣＨ(Ｍｕｌｔｉｃａｓｔ Ｔｒａｆｆｉｃ Ｃｈａｎｎｅｌ)などがある。
【００３６】
図４ａはＮＧ無線アクセスネットワーク(ＮＧ−ＲＡＮ)アーキテクチャのネットワーク構造を示すブロック図であり、図４ｂはＮＧ−ＲＡＮと５Ｇコアネットワーク(５ＧＣ)の間の機能的分割アーキテクチャを説明するブロック図である。
【００３７】
ＮＧ−ＲＡＮノードは、端末に向けてＮＲユーザ平面及び制御平面プロトコル終端を提供するｇＮＢ、又は端末に向けてＥ−ＵＴＲＡユーザ平面及び制御平面プロトコル終端を提供するｎＧ−ｅＮＢである。
【００３８】
ｇＮＢとｎｇ−ｅＮＢはＸｎインターフェースを介して互いに連結される。またｇＮＢ及びｎｇ−ｅＮＢはＮＧインターフェースを介して５ＧＣに、より具体的には、ＮＧ−Ｃインターフェースを介してＡＭＦ(Ａｃｃｅｓｓ ａｎｄ Ｍｏｂｉｌｉｔｙ Ｍａｎａｇｅｍｅｎｔ Ｆｕｎｃｔｉｏｎ)に、またＮＧ−Ｕインターフェースを介してＵＰＦ(Ｕｓｅｒ Ｐｌａｎｅ Ｆｕｎｃｔｉｏｎ)に連結される。
【００３９】
ＸｎインターフェースはＸｎユーザ平面(Ｘｎ−Ｕ)とＸｎ制御平面(Ｘｎ−Ｃ)を含む。Ｘｎユーザ平面(Ｘｎ−Ｕ)インターフェースは２つのＮＧ−ＲＡＮノードの間に定義される。送信ネットワーク階層はＩＰ送信上に構築され、ＧＴＰ−Ｕはユーザ平面ＰＤＵを送信するためにＵＤＰ／ＩＰ上端で使用される。Ｘｎ−Ｕはユーザ平面ＰＤＵの無保証(ｎｏｎ−ｇｕａｒａｎｔｅｅｄ)伝達を提供し、以下の機能を支援する。i)データフォーワーディング及びii)フロー制御。Ｘｎ制御平面インターフェース(Ｘｎ−Ｃ)は２つのＮＧ−ＲＡＮノードの間に定義される。送信ネットワーク階層はＩＰ上端のＳＣＴＰ上に構築される。アプリケーション階層シグナリングプロトコルは、ＸｎＡＰ(Ｘｎ Ａｐｐｌｉｃａｔｉｏｎ Ｐｒｏｔｏｃｏｌ)とも呼ばれる。ＳＣＴＰ階層はアプリケーション階層メッセージの保障された伝達を提供する。送信ＩＰ階層においてポイント−ｔｏ−ポイント(ｐｏｉｎｔ−ｔｏ−ｐｏｉｎｔ)送信は、シグナリングＰＤＵを伝達する時に使用される。Ｘｎ−Ｃインターフェースは、i)Ｘｎインターフェース管理、ii)コンテキスト送信及びＲＡＮページングを含むＵＥ移動性管理、及びiii)二重連結性(Ｄｕａｌ ｃｏｎｎｅｃｔｉｖｉｔｙ)機能を支援する。
【００４０】
ＮＧインターフェースにはＮＧユーザ平面(ＮＧ−Ｕ)及びＮＧ制御平面(ＮＧ−Ｃ)が含まれる。ＮＧユーザ平面インターフェース(ＮＧ−Ｕ)はＮＧ−ＲＡＮノードとＵＰＦの間に定義される。送信ネットワーク階層はＩＰ送信上に構築され、ＧＴＰ−ＵはＮＧ−ＲＡＮノードとＵＰＦの間でユーザ平面ＰＤＵを伝達するためにＵＤＰ／ＩＰ上端で使用される。ＮＧ−ＵはＮＧ−ＲＡＮノードとＵＰＦの間のユーザ平面ＰＤＵの無保証伝達を提供する。
【００４１】
ＮＧ制御平面インターフェース(ＮＧ−Ｃ)はＮＧ−ＲＡＮノードとＡＭＦの間で定義される。送信ネットワーク階層はＩＰ送信上に構築される。信号メッセージの安定した送信のために、ＳＣＴＰがＩＰ上端に追加される。アプリケーション階層シグナリングプロトコルは、ＮＧＡＰ(ＮＧＡｐｐｌｉｃａｔｉｏｎ Ｐｒｏｔｏｃｏｌ)とも呼ばれる。ＳＣＴＰ階層はアプリケーション階層メッセージの保障された伝達を提供する。この送信時、ＩＰ階層ポイント−ｔｏ−ポイント送信を使用してシグナリングＰＤＵを伝達する。
【００４２】
ＮＧ−Ｃはi)ＮＧインターフェース管理、ii)ＵＥコンテキスト管理、iii)ＵＥ移動性管理、iv)設定伝達、及びv)警告メッセージ送信機能を提供する。
【００４３】
ｇＮＢ及びｎｇ−ｅＮＢは、i)無線リソース管理のための機能、即ち、無線ベアラ制御、無線許容制御、接続移動性制御、上りリンク及び下りリンク(スケジューリング)の全てにおいて、ＵＥに対するリソースの動的割り当て、ii)ＩＰヘッダ圧縮、データの暗号化及び無欠性保護、iii)端末が提供する情報からＡＭＦへのルーティングを決定できない時、端末付着時、ＡＭＦの選択、iv)ＵＰＦに向かうユーザ平面データのルーティング、v)ＡＭＦに向かう制御平面情報のルーティング、vi)連結設定及びリリース、vii)(ＡＭＦで発生した)ページングメッセージのスケジューリング及び送信、viii)(ＡＭＦ又はＯ＆Ｍで発生した)システム放送情報のスケジューリング及び送信、ix)移動性及びスケジューリングのための測定及び測定報告設定、x)上りリンクにおける送信レベルのパケットマーキング、xi)セクション管理、xii)ネットワークスライス支援及びxiii)ＱｏＳフロー管理及びデータ無線ベアラへのマッピングなどの機能を担当する。アクセス及び移動性管理機能(Ａｃｃｅｓｓ ａｎｄ Ｍｏｂｉｌｉｔｙ Ｍａｎａｇｅｍｅｎｔ Ｆｕｎｃｔｉｏｎ、ＡＭＦ)は、i)ＮＡＳシグナリング終了、ii)ＮＡＳ信号保安、iii)ＡＳ保安制御、iv)３ＧＰＰアクセスネットワークの間の移動性のためのインターＣＮノードシグナリング、v)休止モードＵＥ到達可能性(ページング再送信の制御及び実行を含む)、vi)登録領域管理、vii)システム内及びシステム間の移動性支援、viii)アクセス認証、ix)移動性管理制御(加入及び政策)、x)ネットワークスライス支援、及びxi)ＳＭＦ選択の主要機能を担当する。
【００４４】
ユーザ平面機能(Ｕｓｅｒ Ｐｌａｎｅ Ｆｕｎｃｔｉｏｎ、ＵＰＦ)は、i)ＲＡＴ内／ＲＡＴ間の移動性のためのアンカーポイント(該当する場合)、ii)データネットワークに対する相互連結の外部ＰＤＵセクションポイント、iii)パケット検査及び政策規則執行のユーザ平面部分、iv)トラフィック使用報告、v)データネットワークへのトラフィックフローのルーティングを支援する上りリンク分類器、vi)ユーザ平面に対するＱｏＳ処理、例えば、パケットフィルタリング、ゲーティング、ＵＬ／ＤＬレート施行、及びvii)上りリンクトラフィック検証(ＳＤＦ対ＱｏＳフローマッピング)の主要機能を担当する。
【００４５】
セクション管理機能(Ｓｅｓｓｉｏｎ Ｍａｎａｇｅｍｅｎｔ Ｆｕｎｃｔｉｏｎ、ＳＭＦ)は、i)セクション管理、ii)ＵＥ ＩＰ住所割り当て及び管理、iii)ＵＰ機能の選択及び制御、iv)トラフィックを適切な対象にルーティングするためにＵＰＦにおけるトラフィック調整設定、v)政策執行の制御部分及びＱｏＳ制御、vi)下りリンクデータ通報の主要機能を担当する。
【００４６】
図５は３ＧＰＰ(３ｒｄ ｇｅｎｅｒａｔｉｏｎ ｐａｒｔｎｅｒｓｈｉｐ ｐｒｏｊｅｃｔ)無線アクセスネットワーク標準に基づくＵＥとＮＧ−ＲＡＮの間の無線インターフェースプロトコルの制御平面及びユーザ平面を示す図である。
【００４７】
ユーザ平面プロトコルスタックは、Ｐｈｙ、ＭＡＣ、ＲＬＣ、ＰＤＣＰ及び５Ｇ ＱｏＳモデルを支援するために新しく導入したＳＤＡＰ(Ｓｅｒｖｉｃｅ Ｄａｔａ Ａｄａｐｔａｔｉｏｎ Ｐｒｏｔｏｃｏｌ)を含む。
【００４８】
ＳＤＡＰエンティティの主要サービス及び機能は、i)ＱｏＳフローとデータ無線ベアラの間のマッピング、ii)ＤＬ及びＵＬパケットの全てにおけるＱｏＳフローＩＤ(ＱＦＩ)指標である。ＳＤＡＰの単一プロトコルエンティティは各々の個別ＰＤＵセクションごとに設定される。
【００４９】
ＱｏＳフローについて上位階層からＳＤＡＰ ＳＤＵの受信時、送信ＳＤＡＰエンティティはＱｏＳフローについて貯蔵されたＱｏＳフロー対ＤＲＢマッピング規則がない場合、ＳＤＡＰ ＳＤＵをデフォルトＤＲＢにマッピングすることができる。ＱｏＳフローについて貯蔵されたＱｏＳフロー対ＤＲＢマッピング規則がある場合、ＳＤＡＰエンティティは貯蔵されたＱｏＳフロー対ＤＲＢマッピング規則によってＳＤＢ ＳＤＵをＤＲＢにマッピングすることができる。また、ＳＤＡＰエンティティはＳＤＡＰ ＰＤＵを構成して下位階層に伝達できる。
【００５０】
図６はＵＥとＮＧ−ＲＡＮの間のＬ２データフローに関する一例である。
【００５１】
図６に階層２データフローの一例が示されており、ここで送信ブロックはＲＢｘからの２つのＲＬＣ ＰＤＵとＲＢｙからの１つのＲＬＣ ＰＤＵとを連結することによりＭＡＣにより生成される。ＲＢＸからの２つのＲＬＣ ＰＤＵの各々は１つのＩＰパケット(ｎ及びｎ＋１)に対応し、ＲＢｙからのＲＬＣ ＰＤＵはＩＰパケット(ｍ)のセグメントである。
【００５２】
図７はＱｏＳフローに対する分類及びユーザ平面マーキング及びＮＧ−ＲＡＮリソースへのマッピングのためのダイヤグラムである。
【００５３】
５Ｇ ＱｏＳモデルはＱｏＳフローに基づく。５Ｇ ＱｏＳモデルは保証されたフロービット送信率を要求するＱｏＳフロー(ＧＢＲ ＱｏＳフロー)及び保証されたフロービット送信率を要求しないＱｏＳフロー(非−ＧＢＲ ＱｏＳフロー)を全て支援する。この５Ｇ ＱｏＳモデルは反映式ＱｏＳも支援する。
【００５４】
ＱｏＳフローはＰＤＵセクションにおいてＱｏＳ差等化の最低粒度である。ＱｏＳフローＩＤ(ＱＦＩ)は５ＧシステムにおいてＱｏＳフローを識別する時に使用される。ＰＤＵセクション内において同じＱＦＩを有するユーザ平面トラフィックは同じトラフィックフォーワーディング処理(例えば、スケジューリング、承認臨界値)を受信する。ＱＦＩはｅ２ｅパケットヘッダを変更せず、Ｎ３(及びＮ９)上でカプセル化ヘッダ内で伝達される。ＱＦＩは全てのＰＤＵセクションタイプについて使用される。ＱＦＩはＰＤＵセクション内で固有である。ＱＦＩは動的に割り当てられるか又は５ＱＩと同一である。
【００５５】
５Ｇシステム内において、ＱｏＳフローはＳＭＦにより制御され、ＰＤＵセクションの設定手順又はＰＤＵセクションの修訂手順により予め構成されるか又は設定される。
【００５６】
任意のＱｏＳフローは、i)Ｎ２基準ポイントにかけてＡＭＦを介してＳＭＦによりＮＧ−ＲＡＮに提供されるか又はＮＧ−ＲＡＮで予め構成されたＱｏＳプロファイル、ii)Ｎ１基準ポイントをかけてＡＭＦを介してＳＭＦによりＵＥに提供でき、及び／又は反映式ＱｏＳ制御を適用することによりＵＥにより誘導可能な１つ以上のＱｏＳ規則、及びiii)ＳＭＦがＵＰＦに提供した１つ以上のＳＤＦテンプレートを特徴とする。
【００５７】
ＵＥはＱｏＳ規則に基づいてＵＬユーザ平面トラフィックの分類及びマーキング、即ち、ＵＬトラフィックとＱｏＳフローの連関を行う。かかるＱｏＳ規則は(ＰＤＵセクションの設定／修訂手順を使用して)ＵＥに明示的に提供できるか、ＵＥで予め構成されるか、又は反映式ＱｏＳを適用してＵＥにより暗示的に誘導されることができる。
【００５８】
反映式ＱｏＳはＵＥが受信されたＤＬトラフィックに基づいてＵＥでＵＥ誘導されたＱｏＳ規則を生成することにより、ＵＬユーザ平面トラフィックをＱｏＳフローにマッピング可能にする。
【００５９】
ＱｏＳ規則はＰＤＵセクション内で固有なＱｏＳ規則識別子を含み、連関するＱｏＳフローのＱＦＩ及びＵＬに対する、また選択仕様的にＤＬに対するパケットフィルターセット及び優先順位値を含む。また、動的に割り当てられたＱＦＩについて、ＱｏＳ規則はＵＥに関連するＱｏＳパラメータを含む(例えば、５ＱＩ、ＧＢＲ、ＭＢＲ及び平均化ウィンドウを含む)。同一のＱｏＳフロー(即ち、同一のＱＦＩ)に連関する１つ以上のＱｏＳ規則があり得る。
【００６０】
デフォルトＱｏＳ規則は全てのＰＤＵセクションで必要であり、デフォルトＱｏＳ規則のＱｏＳフローに連関する。図７にユーザ平面トラフィックの分類及びマーキング及びＱｏＳフローのＮＧ−ＲＡＮリソースへのマッピングに関する原理が示されている。
【００６１】
ＤＬにおいて、インカミングデータパケットは(追加Ｎ４シグナリングを開始せず)これらのＳＤＦ優先順位によってＳＤＦテンプレートに基づいてＵＰＦにより分類される。ＵＰＦはＱＦＩを使用してＮ３(及びＮ９)ユーザ平面マーキングによりＱｏＳフローに属するユーザ平面トラフィックの分類を伝達する。ＮＧ−ＲＡＮはＱｏＳフローをＮＧ−ＲＡＮリソース(即ち、Ｄａｔａ Ｒａｄｉｏ Ｂｅａｒｅｒ)にバインディング(ｂｉｎｄｉｎｇ)する。ＱｏＳフローとＮＧ−ＲＡＮリソースの間には厳しい１：１関係がない。ＱｏＳフローをマッピングできる必要なＮＧ−ＲＡＮリソースを設定することはＮＧ−ＲＡＮの責任である。
【００６２】
ＵＬにおいて、一致するＱｏＳ規則(即ち、そのパケットフィルターがＵＬパケットと一致)が発見されるまで、ＵＥは増加する順にＱｏＳ規則の優先順位値に基づいてＱｏＳ規則に設定されたパケットフィルターに対してＵＬパケットを評価する。ＵＥは相応するマッチングＱｏＳ規則においてＱＦＩを使用してＵＬパケットをＱｏＳフローにバインディングする。
【００６３】
図８は５Ｇ ＱｏＳモデルに関する概念図である。
【００６４】
図８に示したように、多数のユーザ平面トラフィック(例えば、ＩＰフロー)は同一のＱｏＳフロー上に多重化されることができ、多数のＱｏＳフローは同一のＤＲＢ(データ無線ベアラ)上に多重化されることができる。ＤＬにおいて、５ＧＣはＩＰフロー対ＱｏＳフローマッピングを担当し、ＮＧ−ＲＡＮはＱｏＳフロー対ＤＲＢマッピングを担当する。ＵＬにおいて、ＵＥはＩＰフローの２段階マッピングを行い、ここで、ＮＡＳがＩＰフロー対ＱｏＳフローマッピングを担当し、ＡＳはＱｏＳフロー対ＤＲＢマッピングを担当する。言い換えれば、ＵＥはデフォルトＱｏＳ規則、予め認可されたＱｏＳ規則及び／又は５ＧＣがＵＥに提供する反映式ＱｏＳ規則のようなＱｏＳ規則によってＩＰフローをＱｏＳフローにマッピングする。その後、ＵＥはＮＧ−ＲＡＮがＵＥに提供するＡＳマッピング規則によってＱｏＳフローをＤＲＢにマッピングする。
【００６５】
ＩＰフローがＵＥ内の任意のＱｏＳ規則とマッチングされないと、ＩＰフローが任意のＱｏＳフローに属しないので、ＵＥはＩＰフローをＱｏＳフローにマッピングできず、ＩＰフローのＵＬパケットをネットワークに送信することができない。かかる場合を処理するために、ＵＥは適切なＱｏＳ規則を得るために要請するＮＡＳ手順をトリガすることができる。しかし、ＵＥは上記要請に対応する応答を待たなければならないので、これは更なる遅延を発生させる。問題は即刻送信すべき緊急ＵＬパケットの場合に深刻になる。
【００６６】
本発明はＵＥ内のＱｏＳ規則のうち、任意のものにマッチングされないＩＰフローのＵＬパケット送信を行うための方法及び装置に関する。
【００６７】
図９は本発明の実施例による無線通信システムにおいてＱｏＳフロー基盤のＵＬパケットを送信することを示す概念図である。
【００６８】
この明細書に記載の一部用語は以下のように定義される：
【００６９】
−ＰＤＵセクションは、端末とＰＤＵ連結サービスを提供するデータネットワークの間の連関を言う。
【００７０】
−ＰＤＵ連結サービスは、端末とデータネットワークの間にＰＤＵ(Ｐａｃｋｅｔ Ｄａｔａ Ｕｎｉｔ)の交換を提供するサービスを言う。
【００７１】
−ＱｏＳ規則は、サービスデータフロー(例えば、ＩＰフロー)を検出することを可能にし、その関連ＱｏＳパラメータを定義できる一連の情報を示す。ＱｏＳ規則はＮＡＳ−レベルＱｏＳプロファイル(例えば、ＱｏＳ特性、ＱｏＳマーキング)及びパケットフィルターで構成される。ＱｏＳ規則の３つのタイプは、デフォルトＱｏＳ規則(Ｄｅｆａｕｌｔ ＱｏＳ Ｒｕｌｅ)、予め承認されたＯｏＳ規則(Ｐｒｅ−ａｕｔｈｏｒｉｚｅｄ ＱｏＳ ｒｕｌｅ)及び反映式ＱｏＳ規則(Ｒｅｆｌｅｃｔｉｖｅ ＱｏＳ ｒｕｌｅ)である。
【００７２】
−デフォルトＱｏＳ規則は、ＰＤＵセクション当たりの必須ＱｏＳ規則を意味する。これはＰＤＵセクション設定時に端末に提供される。
【００７３】
−予め承認されたＱｏＳ規則は、ＰＤＵセクション設定で提供される全てのＱｏＳ規則(Ｄｅｆａｕｌｔ ＱｏＳ規則とは異なる)を意味する。
【００７４】
−反映式ＱｏＳ規則は、ＤＬトラフィックに適用されるＱｏＳ規則に基づいて端末が生成したＱｏＳ規則を意味する。
【００７５】
−ＱｏＳマーキングは、特定のパケット伝達動作に対する基準として使用されるスカラーである。
【００７６】
−パケットフィルターは、サービスデータフローをマッチングするための情報を示す。パケットフィルターのフォーマットはＩＰ５タプル(ソースＩＰ住所又はＩＰｖ６ネットワークプリフィックス、受信地ＩＰ住所又はＩＰｖ６ネットワークプリフィックス、ソースポート番号、受信地ポート番号、ＩＰ上のプロトコルのプロトコルＩＤ)をマッチングするためのパターンである。サービスデータフローはＤＬ／ＵＬパケットフィルターによってＱｏＳフローにマッピングされる。
【００７７】
−ＱｏＳフローは、ＱｏＳ処理のための微細粒度(ｇｒａｎｕｌａｒｉｔｙ)を示す。
【００７８】
−次世代(Ｎｅｘｔ Ｇｅｎｅｒａｔｉｏｎ；ＮＧ)システムは、接近及び移動性管理機能(Ａｃｃｅｓｓ ａｎｄ Ｍｏｂｉｌｉｔｙ Ｍａｎａｇｅｍｅｎｔ Ｆｕｎｃｔｉｏｎ；ＡＭＦ)、セクション管理機能(Ｓｅｓｓｉｏｎ Ｍａｎａｇｅｍｅｎｔ Ｆｕｎｃｔｉｏｎ；ＳＭＦ)及びユーザ平面機能(Ｕｓｅｒ ｐｌａｎｅ Ｆｕｎｃｔｉｏｎ；ＵＰＦ)で構成される。
【００７９】
−ＡＳマッピング規則は、ＱｏＳフローとそのＱｏＳフローを運搬するデータ無線ベアラ(ＤＲＢ)の間の連関性に関連する情報セットを言う。
【００８０】
ＰＤＵセクション設定(Ｓ９０１)の間、端末は５ＧＣからＰＤＵセクションに関連するＱｏＳ規則を受信し、ＮＧ−ＲＡＮからＰＤＵセクションに対するＡＳマッピング規則及びＤＲＢ構成情報を受信する。
【００８１】
このＰＤＵセクションに関連するＱｏＳ規則は、端末で構成されたＱｏＳフローマッピング規則に対するＩＰフロー(即ち、ユーザ平面トラフィック)である。
【００８２】
ＡＳ−マッピング規則は、端末で構成されたＤＲＢマッピング規則に対するＵＬ ＱｏＳフローである。
【００８３】
端末は上記受信されたＱｏＳ規則及びＡＳ−マッピング規則を貯蔵し、デフォルトＤＲＢ及び／又は専用ＤＲＢ(非−デフォルトＤＲＢ)のようなＤＲＢを設定する。
【００８４】
デフォルトＤＲＢはＰＤＵセクションの設定時にＮＧ−ＲＡＮにより設定される。フローの第１パケットがＵＬパケットであり、端末でマッピング規則が構成されていないと、上記パケットはデフォルトＤＲＢを介してネットワークに送信される。
【００８５】
その後、端末はＱｏＳ規則を含むＮＡＳメッセージを受信するか又は反射的ＱｏＳを指示するＤＬパケットを受信することによりＱｏＳ規則をアップデートする。
【００８６】
ＵＬパケットが上位階層から受信される時、端末はＵＬパケットのＩＰフローが上記貯蔵されたＱｏＳ規則のＵＬパケットフィルター(ＱｏＳフローマッピング規則に対するＵＬ ＩＰフロー)に定義されたＩＰフローのうちのいずれかに一致するか否かをチェックする(Ｓ９０３)。
【００８７】
ＵＬパケットのＩＰフローが上記貯蔵されたＱｏＳ規則に定義されたＩＰフローのいずれにも一致しないと、端末はＵＬパケットのＱｏＳフローＩＤを特定値として設定する(Ｓ９０５)。
【００８８】
上記特定値が上記貯蔵されたＡＳ−マッピング規則に定義されたＱｏＳフローＩＤｓのいずれにも一致しないと、端末はＵＬパケットのＩＰフローを該当ＰＤＵセクションのデフォルトＤＲＢにマッピングさせ、特定値として設定されたＱｏＳフローＩＤを有するＵＬパケットをデフォルトＤＲＢによりネットワークに送信する(Ｓ９０７)。
【００８９】
この場合、デフォルトＤＲＢにより送信されたＵＬパケットは、フィールドの全てのビットが‘０’と設定されるＱｏＳフローＩＤを有するか、又はフィールドの全てのビットが‘１’と設定されるＱｏＳフローＩＤを有する。
【００９０】
特定のＱｏＳフローＩＤと呼ばれ、“全て０”又は“全て１”のような特定値を有するＱｏＳフローＩＤは、ＮＧ−ＲＡＮに“ＱｏＳ規則の不一致？”を通信するために使用される。
【００９１】
上記段階Ｓ９０５(即ち、端末が特定のＱｏＳフローＩＤをＵＬパケットに取り付ける段階)は、無線プロトコル階層(例えば、ＰＤＣＰ、ＲＬＣ、ＭＡＣ又は新しい階層)のうちの１つにより行われる。
【００９２】
好ましくは、新しい階層はＰＤＣＰエンティティより高いＳＤＡＰ階層である。
【００９３】
特定値が端末に構成されたＡＳ−マッピング規則に定義されたＱｏＳフローＩＤのうちのいずれか１つであると、端末は上記貯蔵されたＡＳ−マッピング規則に定義された特定値にマッピングされるＤＲＢにＵＬパケットのＩＰフローをマッピングさせ、特定値として設定されたＱｏＳフローＩＤを有するＵＬパケットを上記貯蔵されたＡＳ−マッピング規則に定義された特定値にマッピングされるＤＲＢによりネットワークに送信する(Ｓ９０９)。
【００９４】
なお、ＰＤＵセクションの設定時、端末は５ＧＣ及び/又はＮＧ−ＲＡＮから'不一致ＵＬパケットに対するＴＸ許容’及び‘不一致ＵＬパケットに対して許容されたＱｏＳフロー’をさらに受信する。
【００９５】
'不一致ＵＬパケットに対するＴＸ許容’は、端末が不一致ＱｏＳ規則からなるＵＬ ＩＰフローをネットワークに送るように許容された場合を示し、‘不一致ＵＬパケットに対して許容されたＱｏＳフロー’は、端末がＵＬ ＩＰフローをマッピングすると許容されたＱｏＳフローを示す。
【００９６】
端末がＵＬ ＩＰフローをＮＧ−ＲＡＮに送るように許容された場合、'不一致ＵＬパケットに対するＴＸ許容’の値は‘１’又は‘０’である。
【００９７】
端末が値が‘１’である'不一致ＵＬパケットに対するＴＸ許容’を受信するが、‘不一致ＵＬパケットに対して許容されたＱｏＳフロー’を受信しない場合、端末はＵＬ ＩＰフローがデフォルトＱｏＳ規則に定義された全てのＱｏＳフローのうちの１つにマッピングされることができると推定する。
【００９８】
ＵＬパケットのＩＰフローが上記貯蔵されたＱｏＳ規則に定義されたＩＰフローのうちのいずれか１つに一致せず、上記貯蔵された‘不一致ＵＬパケットのハンドリングＩＥ’は端末がＵＬパケットをネットワークに送るように許容されると指示する場合、端末は該当ＰＤＵセクションの上記貯蔵されたＱｏＳ規則において不一致ＵＬパケットに対するＱｏＳフローから１つのＱｏＳフローを選択し、その後、端末はＵＬパケットのＱｏＳフローＩＤをＱｏＳ規則により定義された選択されたＱｏＳフロー値として設定する。いくつのＱｏＳフローがある場合、端末はＵＬパケットのＩＰフローに要求されるＱｏＳ特性と最も類似するＱｏＳ特性を有するＱｏＳフローを選択できる。その後、端末はＵＬパケットの選択されたＱｏＳフローをＡＳマッピング規則により定義されたＤＲＢにマッピングし、ＱｏＳフローＩＤを有するＵＬパケットをＤＲＢによりＮＧ−ＲＡＮに送信する。
【００９９】
ＵＬパケットのＩＰフローが上記貯蔵されたＱｏＳ規則に定義されたＩＰフローのうちのいずれかに一致せず、上記貯蔵された‘不一致ＵＬパケットのハンドリングＩＥ’は端末がＵＬパケットをネットワークに送るように許容しないと指示する場合、端末はＵＬパケットを無視して端末の上位階層に伝達失敗を通知する。
【０１００】
ＵＬパケットのＩＰフローが上記貯蔵されたＱｏＳ規則に定義されたＩＰフローのうちのいずれかに一致すると、端末はＵＬパケットのＱｏＳフローＩＤをＱｏＳ規則により定義された値として設定し(Ｓ９１１)、その後、ＵＬパケットのＩＰフローをＡＳマッピング規則により定義されたＤＲＢにマッピングする。端末はＱｏＳフローＩＤを有するＵＬパケットをＤＲＢによりＮＧ−ＲＡＮノードに送信する(Ｓ９１３)。
【０１０１】
図１０は本発明の実施例による任意のＱｏＳ規則に一致しないＵＬパケットの送信に対する例を示す。
【０１０２】
ＰＤＵセクションの設定時、５ＧＣはＰＤＵセクションに関連するＱｏＳ規則を端末に送信し、パケットフィルターを除いたＱｏＳ規則をＮＧ−ＲＡＮに送信する。ＮＧ−ＲＡＮは該当ＰＤＵセクションのデフォルトＤＲＢ設定のためのＲＲＣメッセージを端末に送る。ＲＲＣメッセージはＡＳ−マッピング規則のような一部構成を含む。ＮＧ−ＲＡＮはＲＲＣメッセージに対する応答として端末からＲＲＣメッセージを受信する。
【０１０３】
ＰＤＵセクションの設定時、端末は５ＧＣからＰＤＵセクションに関連するＱｏＳ規則を受信し、ＮＧ−ＲＡＮからＡＳ−マッピング規則及びＰＤＵセクションに対するデフォルトＤＲＢ構成情報を受信する。また、端末は受信したＱｏＳ規則とＡＳ−マッピング規則を貯蔵し、デフォルトＤＲＢを設定する。その後、端末はＱｏＳ規則を含むＮＡＳメッセージを受信するか又は反射的ＱｏＳを指示するＤＬパケットを受信することによりＱｏＳ規則をアップデートする(Ｓ１００１)。
【０１０４】
ＵＬパケットが上位階層から受信される時、端末はＵＬパケットのＩＰフローが上記貯蔵されたＱｏＳ規則に定義されたＩＰフローのうちのいずれかに一致するか否かをチェックする(Ｓ１００３)。
【０１０５】
ＵＬパケットのＩＰフローが上記貯蔵されたＱｏＳ規則に定義されたＩＰフローのいずれにも一致しないと、端末はＵＬパケットのＱｏＳフローＩＤを特定値として設定し、その後ＵＬパケットのＩＰフローを該当ＰＤＵセクションのデフォルトＤＲＢにマッピングさせる(Ｓ１００５)。その後、端末は特定のＱｏＳフローＩＤを有するＵＬパケットをデフォルトＤＲＢによりＮＧ−ＲＡＮに送信する(Ｓ１００７)。
【０１０６】
図１１は段階Ｓ１００３乃至Ｓ１００７の例示を示す。
【０１０７】
ＩＰフローが‘ｙｙｙ’であるＵＬパケットが上位階層から受信される時、端末は‘ｙｙｙ’が上記貯蔵されたＱｏＳ規則に定義されたＩＰフローのうちのいずれかに一致するか否かをチェックする。‘ｙｙｙ’がＱｏＳ規則においてＱｏＳフローＩＤの‘１２’に一致するので、端末はＡＳマッピング規則によってＵＬパケットをＤＲＢ２にマッピングする。反面、ＩＰフローが‘ｋｋｋ’であると、‘ｋｋｋ’は上記貯蔵されたＱｏＳ規則においてＩＰフローのいずれにも一致しないので、端末はＱｏＳフローＩＤを特定値として設定し、ＵＬパケットのＩＰフローを該当ＰＤＵセクションのデフォルトＤＲＢにマッピングさせ、特定のＱｏＳフローＩＤを有するＵＬパケットをデフォルトＤＲＢによりネットワークに送信する。
【０１０８】
図１０に示したように、ＮＧ−ＲＡＮが特定のＱｏＳフローＩＤを有するＵＬパケットを受信する時(Ｓ１００７)、ＮＧ−ＲＡＮはＱｏＳマーキングを決定して設定し、該当ＰＤＵセクションのデフォルトＱｏＳ規則に基づくトンネル(ｔｕｎｎｅｌ)及びＤＲＢ ＩＤを選択する。またＮＧ−ＲＡＮは不一致指示子を‘１’と設定することにより不一致を示す(Ｓ１００９)。
【０１０９】
次いで、ＮＧ−ＲＡＮはＱｏＳマーキングを有するＵＬパケット及び不一致指示子を５ＧＣに送信する(Ｓ１０１１)。
【０１１０】
５ＧＣが‘１’と設定された不一致指示子を有するＵＬパケットを受信する時(Ｓ１０１１)、５ＧＣは受信されたパケットを処理するか否かを決定し、受信されたパケットに対するＱｏＳ規則を端末に提供するか否かを決定する(Ｓ１０１３)。
【０１１１】
５ＧＣが受信されたパケットを処理することが決定されると、５ＧＣは該当パケットをピア(ｐｅｅｒ)エンティティに送る(Ｓ１０１５)。そうではないと、該当パケットを無視する。
【０１１２】
５ＧＣが受信されたパケットのＩＰフローに対するＱｏＳ規則を提供することが決定されると、５ＧＣはＱｏＳ規則を端末に送信し、パケットフィルターを除いたＱｏＳ規則をＮＧ−ＲＡＮに送信する(Ｓ１０１７)。
【０１１３】
図１２は本発明の実施例による任意のＱｏＳ規則に一致しないＵＬパケットの送信に対する例を示す。
【０１１４】
ＰＤＵセクションの設定時、５ＧＣはＱｏＳ規則及びＰＤＵセクションに関連する不一致ＵＬパケットに対するＴＸ許容及び許容されたＱｏＳフローを端末に送信し、不一致ＵＬパケットに対するＴＸ許容、不一致ＵＬパケットに対する許容されたＱｏＳフロー及びパケットフィルターを除いたＱｏＳ規則をＮＧ−ＲＡＮに送信する。
【０１１５】
'不一致ＵＬパケットに対するＴＸ許容’は、端末が不一致ＱｏＳ規則からなるＵＬ ＩＰフローをネットワークに送るように許容された場合を示す。端末がＵＬ ＩＰフローを送るように許容された場合、'不一致ＵＬパケットに対するＴＸ許容’は‘１’と設定される。そうではないと、‘０’と設定される。‘許容されたＱｏＳフロー’は端末がＵＬフローをマッピングすることが許容されたＱｏＳフローを示す。端末がＵＬフローをデフォルトＱｏＳ規則に定義された全てのＱｏＳフローのうちの１つにマッピングすることが許容された場合、５ＧＣはかかるフィールドを端末に送信しないことができる。
【０１１６】
ＰＤＵセクションの設定時、ＮＧ−ＲＡＮは端末に該当ＰＤＵセクションのＤＲＢ設定のためのＲＲＣメッセージを送る。ＲＲＣメッセージはＡＳ−マッピング規則、不一致ＵＬパケットに対するＴＸ許容、不一致ＵＬパケットに対する許容されたＱｏＳフローのような一部構成を含む。ＰＤＵセクションの設定時、ＮＧ−ＲＡＮはＲＲＣメッセージに対する応答として端末からＲＲＣメッセージを受信する。
【０１１７】
端末が５ＧＣからＰＤＵセクションに関連するＱｏＳ規則を受信し、ＮＧ−ＲＡＮからＡＳ−マッピング規則及びＰＤＵセクションに対するデフォルトＤＲＢ構成情報を受信し、５ＧＣ及びＮＧ−ＲＡＮからＰＤＵセクションに関連する不一致ＵＬパケットに対するＴＸ許容及び許容されたＱｏＳフローに関する情報を受信する時、端末は受信したＱｏＳ規則、ＡＳ−マッピング規則、不一致ＵＬパケットに対するＴＸ許容及び不一致ＵＬパケットに対する許容されたＱｏＳフローを貯蔵し、デフォルトＤＲＢ及び/又は専用のＤＲＢのようなＤＲＢを設定する。その後、端末はＱｏＳ規則を含むＮＡＳメッセージを受信するか又は反射的ＱｏＳを指示するＤＬパケットを受信することにより、ＱｏＳ規則をアップデートする(Ｓ１２０１)。
【０１１８】
ＵＬパケットが上位階層から受信される時、端末はＵＬパケットのＩＰフローが上記貯蔵されたＱｏＳ規則に定義されたＩＰフローのうちのいずれかに一致するか否かをチェックする(Ｓ１２０３)。
【０１１９】
ＵＬパケットのＩＰフローが上記貯蔵されたＱｏＳ規則に定義されたＩＰフローのうちのいずれかに一致せず、上記貯蔵された‘不一致ＵＬパケットのハンドリングＩＥ’は端末がＵＬパケットをネットワークに送るように許容されると指示する場合、端末は該当ＰＤＵセクションの上記貯蔵されたＱｏＳ規則において不一致ＵＬパケットに対するＱｏＳフローから１つのＱｏＳフローを選択し、その後、端末はＵＬパケットのＱｏＳフローＩＤをＱｏＳ規則により定義された選択されたＱｏＳフロー値として設定する。その後、端末はＵＬパケットの選択されたＱｏＳフローをＡＳマッピング規則により定義されたＤＲＢにマッピングし、ＱｏＳフローＩＤをＵＬパケットに取り付ける(Ｓ１２０５)。端末はＱｏＳフローＩＤを有するＵＬパケットをＤＲＢによりＮＧ−ＲＡＮに送信する(Ｓ１２０７)。
【０１２０】
図１３は段階Ｓ１２０３乃至Ｓ１２０７の例示を示す。
【０１２１】
ＩＰフローが‘ｙｙｙ’であるＵＬパケットが上位階層から受信される時、端末は‘ｙｙｙ’が上記貯蔵されたＱｏＳ規則に定義されたＩＰフローのうちのいずれかに一致するか否かをチェックする。‘ｙｙｙ’がＱｏＳ規則においてＱｏＳフローＩＤの‘１２’に一致するので、端末はＡＳマッピング規則によってＵＬパケットをＤＲＢ２にマッピングする。反面、ＩＰフローが‘ｋｋｋ’であると、‘ｋｋｋ’は上記貯蔵されたＱｏＳ規則においてＩＰフローのいずれにも一致しないので、端末は‘ｋｋｋ’が不一致ＵＬパケットに対するＴＸ許容を用いてネットワークに送信されることができることを確認する。その後、端末は‘不一致ＵＬパケットに対する許容されたＱｏＳフロー’をチェックする。
【０１２２】
この場合、‘不一致ＵＬパケットに対するＴＸ許容’は‘はい(ｙｅｓ)’を示し、許容されたＱｏＳフローは‘１１’であるので、端末はＱｏＳフローＩＤを‘１１’と設定し、ＵＬパケットをＤＲＢ１にマッピングさせ、ＵＬパケットをＤＲＢ１によりネットワークに送信する。
【０１２３】
図１２に示したように、ＮＧ−ＲＡＮがＱｏＳフローＩＤを有するＵＬパケットを受信する時(Ｓ１２０７)、ＮＧ−ＲＡＮはＱｏＳマーキングを決定して設定し、該当ＰＤＵセクションのＱｏＳ規則に基づくトンネル及びＤＲＢ ＩＤを選択する(Ｓ１２０９)。その後、ＮＧ−ＲＡＮはＱｏＳマーキングを有するＵＬパケットを５ＧＣに送信する(Ｓ１２１１)。
【０１２４】
５ＧＣがＱｏＳマーキングを有するＵＬパケットを受信する時(Ｓ１２１１)、５ＧＣは不一致ＵＬパケットに対する許容されたＱｏＳフローに対する全てのパケットを常にモニターしなければならず、端末が不一致ＵＬパケットをネットワークに送信することが許容される場合、ＩＰフローマッピングに対するＵＬ ＱｏＳフローを検証しなければならない(Ｓ１２１３)。
【０１２５】
不一致を検出する時、５ＧＣは該当パケットをピア(ｐｅｅｒ)エンティティに送り、受信されたパケットのＩＰフローに対するＱｏＳ規則を提供すると決定する。かかる決定によって、５ＧＣはＱｏＳ規則を端末に送信でき(Ｓ１２０５)、パケットフィルターを除いたＱｏＳ規則をＮＧ−ＲＡＮに送信することができる(Ｓ１２１７)。
【０１２６】
図１４は、本発明の実施例に係る通信装置のブロック図である。
【０１２７】
図１４に示された装置は、上述したメカニズムを行うように適応されたユーザ装置(Ｕｓｅｒ Ｅｑｕｉｐｍｅｎｔ、ＵＥ)及び／又はｅＮＢであってもよいが、同じ作業を行う任意の装置であってもよい。
【０１２８】
図１４に示したように、装置は、ＤＳＰ(Ｄｉｇｉｔａｌ Ｓｉｇｎａｌ Ｐｒｏｃｅｓｓｏｒ)／マイクロプロセッサ１１０及びＲＦ(Ｒａｄｉｏ Ｆｒｅｑｕｅｎｃｙ)モジュール(送受信機；１３５)を含むこともできる。ＤＳＰ／マイクロプロセッサ１１０は、送受信機１３５に電気的に接続されて送受信機１３５を制御する。装置は、設計者の選択によって、電力管理モジュール１０５、バッテリ１５５、ディスプレイ１１５、キーパッド１２０、ＳＩＭカード１２５、メモリデバイス１３０、スピーカー１４５及び入力デバイス１５０をさらに含むこともできる。
【０１２９】
特に、図１４は、ネットワークから要求メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機(受信機及び送信機、１３５)に接続されたプロセッサ１１０をさらに含むこともできる。
【０１３０】
また、図１４は、端末に要求メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延(ｌａｔｅｎｃｙ)を計算することもできる。
【０１３１】
以上で説明された実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明される動作の順序は変更されてもよい。ある実施例の一部の構成や特徴は、他の実施例に含まれてもよく、又は、他の実施例の対応する構成又は特徴に置換されてもよい。特許請求の範囲において明示的な引用関係にない請求項を結合して実施例を構成したり、出願後の補正によって新たな請求項として含めたりすることができるということは明らかである。
【０１３２】
本発明の実施例において、基地局(ＢＳ)によって行われると説明された特定の動作は、上位ノードのＢＳによって行われてもよい。ＢＳを含む複数のネットワークノードで、ＭＳとの通信のために行われる様々な動作が、基地局によって行われるか、あるいは基地局以外の他のネットワークノードによって行われることは明らかである。「ｅＮＢ」は、「固定局(ｆｉｘｅｄ ｓｔａｔｉｏｎ)」、「ＮｏｄｅＢ」、「基地局(ＢＳ)」、アクセスポイントなどの用語に代替されてもよい。
【０１３３】
前述した実施例は、例えば、ハードウェア、ファームウェア、ソフトウェア又はこれらの組合せのような様々な手段によって具現されてもよい。
【０１３４】
ハードウェアの設定において、本発明の実施例に係る方法は、１つ以上のＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)、ＤＳＰｓ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)、プロセッサ、コントローラ、マイクロコントローラ、マイクロプロセッサなどによって具現されてもよい。
【０１３５】
ファームウェアやソフトウェアによる具現の場合、本発明の一実施例は、以上で説明された機能又は動作を行うモジュール、手順、関数などの形態で具現されてもよい。ソフトウェアコードは、メモリユニットに格納され、プロセッサによって駆動され得る。前記メモリユニットは、前記プロセッサの内部又は外部に位置して、公知の様々な手段によって前記プロセッサとデータを交換することができる。
【０１３６】
本発明は、本発明の特徴を逸脱しない範囲内で他の特定の形態に具体化できるということは、当業者にとって自明である。従って、前記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０１３７】
以上の方法は、３ＧＰＰ ＬＴＥシステムまたはＮＲ(５Ｇ)に適用される例示を中心に説明されたが、本発明は３ＧＰＰ ＬＴＥシステムまたはＮＲ(５Ｇ)の他にも様々な無線通信システムに適用可能である。
【図１】
0006987869.tif 000002
【図２Ａ】
0006987869.tif 000003
【図２Ｂ】
0006987869.tif 000004
【図３】
0006987869.tif 000005
【図４Ａ】
0006987869.tif 000006
【図４Ｂ】
0006987869.tif 000007
【図５】
0006987869.tif 000008
【図６】
0006987869.tif 000009
【図７】
0006987869.tif 000010
【図８】
0006987869.tif 000011
【図９】
0006987869.tif 000012
【図１０】
0006987869.tif 000013
【図１１】
0006987869.tif 000014
【図１２】
0006987869.tif 000015
【図１３】
0006987869.tif 000016
【図１４】
0006987869.tif 000017